(57)【要約】【課題】色域の拡大によって色再現性を向上させる。【解決手段】  光学シートＡ１は、基材層６０と、この基材層６０における光の出射面側、又は入射面側の少なくとも一方に設けられ、ＲＧ中間発光色をカットする中間発光色カット層７０と、を備える。  中間発光色カット層７０は、透明樹脂層中に波長５９０ｎｍ付近のＲＧ中間色を吸収する色素を含有して構成される。透明樹脂は、光線透過率が８８％以上であればよく、基材層６０と同質の材質でもよいし、異なる材質でもよい。例えば、ポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。【選択図】図１
2011221436.tif 000002
【特許請求の範囲】
【請求項１】
ディスプレイの照明光路制御に使用される光学シートにおいて、
ＲＧの中間発光色をカットすることを特徴とする光学シート。
【請求項２】
光の入射面側又は出射面側の少なくとも一方に、ＲＧの中間発光色をカットする中間発光色カット層を有することを特徴とする請求項１に記載の光学シート。
【請求項３】
光の入射面側及び出射面側の一方に、複数の単位レンズを配列することを特徴とする請求項１に記載の光学シート。
【請求項４】
前記単位レンズの表面上に、ＲＧの中間発光色をカットする中間発光色カット層を有することを特徴とする請求項３に記載の光学シート。
【請求項５】
光の入射側及び出射側の他方に、ＲＧの中間発光色をカットする中間発光色カット層を有することを特徴とする請求項３に記載の光学シート。
【請求項６】
光源と、前記光源から発せられた光を入射し、入射した光を拡散させて射出する拡散板と、請求項１〜５の何れか一項に記載の光学シートと、を備えることを特徴とするディスプレイ用バックライトユニット。
【請求項７】
画素単位での透過／遮光に応じて表示画像を規定する画像表示素子と、前記画像表示素子の背面に設けられた請求項６に記載のディスプレイ用バックライトユニットと、を備えることを特徴とする表示装置。
【発明の詳細な説明】
【技術分野】
【０００１】
本発明は、照明光路制御に用いられる光学シート、ディスプレイ用バックライトユニット、及び表示装置に関するものである。特に、フラットパネルディスプレイに代表される画像表示装置における照明光路制御に使用される光学シート組み合わせ、バックライトユニット及びディスプレイ装置に関するものである。
【背景技術】
【０００２】
近年、ＴＦＴ（Thin Film Transistor）型液晶パネルやＳＴＮ(Super Twisted Nematic)型液晶パネルを使用した液晶ディスプレイ装置は、主としてＯＡ分野のカラーノートＰＣ（パーソナルコンピュータ）を中心に商品化されている。このような液晶ディスプレイ装置においては、液晶パネルの背面側（観察者と反対の側）に光源を配置し、この光源からの光で液晶パネルを照明する方式、所謂バックライト方式が採用されている。この種のバックライト方式に採用されているバックライトユニットとしては、大別して冷陰極管（ＣＣＦＴ：Cold Cathode Fluorescent Tube）等の光源ランプを、光透過性に優れたアクリル樹脂等からなる平板状の導光板内で多重反射させる「導光板ライトガイド方式」（所謂エッジライト方式）と、導光板を用いずに冷陰極管（ＣＣＦＴ）等の光源ランプからの光で直接照明する「直下型方式」の二種類の方式とがある。
【０００３】
導光板ライトガイド方式のバックライトユニットが搭載された液晶ディスプレイ装置としては、例えば、図１２に示すものが一般に知られている。この種の液晶ディスプレイ装置は、表裏両面を偏光板１７１、１７３で挟んでなる液晶パネル１７２が上部に位置して配設され、液晶パネル１７２の下面側に、略長方形の板状を呈するＰＭＭＡ（ポリメチルメタクリレート）やアクリル等の透明な基材からなる導光板１７９が配置されており、この導光板１７９の上面（光射出側）に拡散フィルム（拡散層）１７８が設けられている。さらに、導光板１７９の下面に、導光板１７９に導入された光を効率よく液晶パネル１７２に向け均一となるように散乱して反射されるための散乱反射パターン部（図示せず）が印刷などによって設けられると共に、散乱反射パターン部の下方に反射フィルム（反射層）１７７が設けられている。
【０００４】
また、上記導光板１７９には、その側端部に光源ランプ１７６が設けられており、さらに、光源ランプ１７６の光を効率よく導光板１７９中に入射させるべく、光源ランプ１７６の背面側を覆うようにして高反射率のランプリフレクター１８１が設けられている。上記散乱反射パターン部は、白色である二酸化チタン（ＴｉＯ2）粉末を透明な接着剤等の溶液に混合した混合物を、所定パターン（例えばドットパターン）にて印刷し乾燥、形成したものであり、導光板１７９内に入射した光に指向性を付与し、光射出面側へと導くようになっている。これは高輝度化を図るための工夫である。
【０００５】
直下型方式のバックライトは、導光板の利用が困難な大型の液晶ＴＶなどのディスプレイ装置に用いられている。直下型バックライト方式のディスプレイ装置としては、図１３に示す液晶ディスプレイ装置が一般的に知られている。この液晶ディスプレイ装置は、表裏両面を偏光板１７１、１７３に挟んでなる液晶パネル１７２が上部に位置して配設され、液晶パネル１７２の下面側に蛍光管等からなる光源１５１が配置される。さらに、光源１５１の上面側に拡散フィルム１８２のような光学シートが設けられている。また、光源１５１の背面には、光源１５１から液晶パネル１７２と反対の方向に向かう光を液晶パネル１７２側へ反射させるリフレター１５２が配置されている。よって光源１５１から射出される光は拡散フィルム１８２で拡散され、この拡散光を高効率で液晶パネル１７２の有効表示エリアに集光させる。
【０００６】
しかし、これらの液晶ディスプレイ装置では、視野角の制御が拡散フィルム１７８、１８２の拡散特性にのみ委ねられており、その制御が難しいという問題があった。例えば、正面方向から見た場合は液晶ディスプレイの表示画面は明るいが、横方向から見た場合には、表示画面が暗くなる場合があった。また、液晶ディスプレイの中心部は明るく、周辺部が暗くなるという問題もあった。このように光の利用効率が悪いという問題があった。
【０００７】
そこで、上述の問題を解決する一つの方法として、図１４及び図１５に示すように、米国３Ｍ社の登録商標である高輝度強調フィルム（ＢＥＦ：Brightness Enhancement Film）１８５をバックライト用照明光源１９０の上方に位置して配置され、さらに、高輝度強調フィルム１８５の上方である光出射面側に図示しない光拡散フィルムを配置する方法が採用されている。高輝度強調フィルム１８５は、透明基材１８６の上面である光出射面に、断面が三角形状の単位プリズム１８７が一方向に一定のピッチで配列されたフィルムである。この単位プリズム１８７は光の波長に比較して大きいサイズ（ピッチ）である。高輝度強調フィルム１８５は、“軸外（off-axis）”からの光を集光し、この光を視聴者に向けて“軸上（on-axis）”に方向転換（redirect）または“リサイクル（recycle）”する。
【０００８】
高輝度強調フィルム１８５は、ディスプレイ装置の使用時（観察時）に、軸外輝度を低下させることによって軸上輝度を増大させ、ディスプレイ装置の表示品位を向上させる。ここで言う「軸上」とは、視聴者の視覚方向に一致する方向であり、一般的にはディスプレイ画面に対する法線方向である。また、高輝度強調フィルム１８５は、通常、単位プリズムの反復的アレイ構造が１方向のみの配列からなり、その配列方向での方向転換またはリサイクルのみが可能となる。そのため、水平方向及び垂直方向の両方向での表示光の輝度制御を行なうためには、単位プリズム群の配列方向が互いに略直交するように、２枚の高輝度強調フィルムを重ねて組み合わせて用いる必要がある。
【０００９】
そこで、最近では、光利用効率をアップして高輝度化を図るために、図１６に示すように、拡散フィルム１７８と液晶パネル１７２との間に、集光機能を備えたプリズムフィルム（プリズム層）１７４、１７５を設けることが提案されている。このプリズムフィルム１７４、１７５は導光板１７９の光射出面から射出され、拡散フィルム１７８で拡散された光を高効率で液晶パネル１７２の有効表示エリアに集光させるものである。このような高輝度強調フィルムを採用することにより、ディスプレイ設計者が電力消費を低減しながら所望の軸上輝度を達成することができるようになった。高輝度強調フィルムに代表されるプリズムの反復的アレイ構造を有する輝度制御部材をディスプレイ装置に採用した技術は、特許文献１〜３において従来から知られている。
【先行技術文献】
【特許文献】
【００１０】
【特許文献１】特公平１−３７８０１号公報
【特許文献２】特開平６−１０２５０６号公報
【特許文献３】特表平１０−５０６５００号公報
【発明の概要】
【発明が解決しようとする課題】
【００１１】
近年、小型化、軽量化、省電力化設計の点で有利であることや水銀を含まないこと、高圧回路が不要であるため安全設計の負荷や高調波電流・高周波ノイズ発生の懸念が軽減されること、振動や衝撃に対する耐性に優れていること、低温起動性や調光範囲の広さの点で優れていることなど、さまざまなメリットを有するためにＬＥＤを光源とするバックライトユニットを用いた液晶ディスプレイが主流になりつつある。
【００１２】
しかしながら、色再現性においては、現在バックライト光源として用いられている白色ＬＥＤの多くは、ＣＣＦＬと比べ色調（演色性）が劣るという問題がある。これは、現在主流となっている白色ＬＥＤが、青色ＬＥＤチップによって、その補色にあたる黄色の蛍光体を励起することで白色光を実現しているため、ＣＣＦＬに比べて赤や緑の波長成分が乏しいことに起因するためである。
【００１３】
このため、従来の白色ＬＥＤをバックライトの光源に採用した場合、広色度域タイプのカラーフィルタと組み合わせても、赤や緑の再現範囲を拡大するのに限界があり、ＲＧＢの色再現領域を十分にカバーすることは困難であった。
また、この問題を解決するために白色ＬＥＤの代わりにＲＧＢの三原色のＬＥＤを組み合わせる方法もあるが、三色で白色を実現するためコストが高くなってしまう。
【００１４】
本発明の課題は、ディスプレイの照明光路制御に使用される光学シートであって、色域の拡大によって色再現性を向上させることである。
【課題を解決するための手段】
【００１５】
請求項１に係る本発明は、ディスプレイの照明光路制御に使用される光学シートにおいて、ＲＧの中間発光色をカットすることを特徴とする。
請求項２に係る発明は、請求項１に係る発明の光学シートであって、光の入射面側又は出射面側の少なくとも一方に、ＲＧの中間発光色をカットする中間発光色カット層を有することを特徴とする。
【００１６】
請求項３に係る発明は、請求項１に係る発明の光学シートであって、光の入射面側及び出射面側の一方に、複数の単位レンズを配列することを特徴とする。
請求項４に係る発明は、請求項３に係る発明の光学シートであって、前記単位レンズの表面上に、ＲＧの中間発光色をカットする中間発光色カット層を有することを特徴とする。
【００１７】
請求項５に係る発明は、請求項３に係る発明の光学シートであって、光の入射側及び出射側の他方に、ＲＧの中間発光色をカットする中間発光色カット層を有することを特徴とする。
請求項６に係る発明は、光源と、前記光源から発せられた光を入射し、入射した光を拡散させて射出する拡散板と、請求項１〜５の何れか一項に係る発明の光学シートと、を備えることを特徴とする。
【００１８】
請求項７に係る発明は、画素単位での透過／遮光に応じて表示画像を規定する画像表示素子と、前記画像表示素子の背面に設けられた請求項６に係る発明のディスプレイ用バックライトユニットと、を備えることを特徴とする。
【発明の効果】
【００１９】
本発明によれば、コストアップを抑制しつつ、色域の拡大によって色再現性を向上させることができる。
【図面の簡単な説明】
【００２０】
【図１】第一実施形態を示す光学シートＡ１の概略構成図である。
【図２】第二実施形態を示す光学シートＢ１の概略構成図である。
【図３】第三実施形態を示す光学シートＣ１の概略構成図である。
【図４】第四実施形態を示す光学シートＤ１の概略構成図である。
【図５】ディスプレイ装置の一例を示す概略構成図である。
【図６】ディスプレイ装置の他の一例を示す概略構成図である。
【図７】分光透過率評価の結果を示す図である。
【図８】試験例１、２の構成及び評価結果を示す図である。
【図９】試験例１、２の評価結果を示すマップである。
【図１０】試験例３、４の構成及び評価結果を示す図である。
【図１１】試験例３、４の評価結果を示すマップである。
【図１２】従来におけるディスプレイ装置の一例を示す概略構成図である。
【図１３】従来におけるディスプレイ装置の他の一例を示す概略構成図である。
【図１４】従来におけるバックライトユニットの一例を示す概略断面図である。
【図１５】従来におけるＢＥＦの一例を示す斜視図である。
【図１６】従来におけるディスプレイ装置の他の一例を示す概略断面図である。
【発明を実施するための形態】
【００２１】
以下、本発明にかかる光学シートの組み合わせ及びこれを用いたバックライトユニット並びに当該バックライトユニットを具備する液晶ディスプレイ装置の実施の形態について図面を参照して詳細に説明する。なお、図に示す各部位の縮尺または比率は実際とは一致しない。また、これに限定されるものでもない。
【００２２】
（第一実施形態）
図１は、第一実施形態を示す光学シートＡ１の概略構成図である。
光学シートＡ１は、基材層６０と、この基材層６０における光の出射面側、又は入射面側の少なくとも一方に設けられ、ＲＧ中間発光色をカットする中間発光色カット層７０と、を備える。
【００２３】
基材層６０は、光線透過率が８８％以上であれば任意の材質でよい。例えば、ポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。
【００２４】
中間発光色カット層７０は、透明樹脂層中に波長５９０ｎｍ付近のＲＧ中間色を吸収する色素を含有して構成される。透明樹脂は、光線透過率が８８％以上であればよく、基材層６０と同質の材質でもよいし、異なる材質でもよい。例えば、ポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。
【００２５】
中間発光色カット層７０の成形は、例えばコーティング方式や押出方式があるが、勿論、これに限定されるものではない。
【００２６】
（第二実施形態）
図２は、第二実施形態を示す光学シートＢ１の概略構成図である。
光学シートＢ１は、基材層６１と、この基材層６１における光の出射面側に配列された複数の単位レンズ４２と、基材層６１における光の入射面側に設けられ、ＲＧ中間発光色をカットする中間発光色層７１と、を備える。
【００２７】
中間発光色カット層７１は、透明樹脂層中に波長５９０ｎｍ付近のＲＧ中間色を吸収する色素を含有して構成される。透明樹脂は、光線透過率が８８％以上であれば、基材層６１や単位レンズ４２と同質の材質でもよいし、異なる材質でもよい。
単位レンズ４２の形状は、例えばプリズム形状や四角錐形状であるが、勿論、これに限定されるものではない。
【００２８】
中間発光色カット層７１、光学シートＢ１及び単位レンズ４２の製造方法は、製造コストを考慮した場合、押出し方式で製造するのが好ましいが、単位レンズ４２と基材層６１とが光透過性の材料であれば異なる材料からなってもよく、透明基材上に紫外線硬化樹脂にて単位レンズ４３を付与してもよい。
【００２９】
基材層６０は、光線透過率が８８％以上であれば任意の材質でよい。例えばポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。
【００３０】
（第三実施形態）
図３は、第三実施形態を示す光学シートＣ１の概略構成図である。
光学シートＣ１は、基材層６２と、この基材層６２における光の出射面側に配列された複数の単位レンズ４３と、この単位レンズ４３の表面に設けられ、ＲＧ中間発光色をカットする中間発光色カット層７２と、を備える。
【００３１】
中間発光色カット層７２は、透明樹脂層中に波長５９０ｎｍ付近のＲＧ中間色を吸収する色素を含有して構成される。透明樹脂は、光線透過率が８８％以上であれば、レンズ４３及び基材層６２と同質の材質でもよいし、異なる材質でもよい。
【００３２】
単位レンズ４３の形状は、例えばプリズム形状や四角錐形状であるが、勿論、これに限定されるものではない。
中間発光色カット層７２、光学シートＣ１及び単位レンズ４３の製造方法は、製造コストを考慮した場合、押出し方式で製造するのが好ましいが、単位レンズ４３と基材層６２とが光透過性の材料であれば異なる材料からなってもよく、透明基材上に紫外線硬化樹脂にて単位レンズ４３を付与してもよい。
【００３３】
基材層６０は、光線透過率が８８％以上であれば任意の材質でよい。例えば、ポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。
【００３４】
（第四実施形態）
図４は、第四実施形態を示す光学シートＤ１の概略構成図である。
光学シートＤ１は、前述した基材層と単位レンズとを全てＲＧ中間発光色をカットする材質で形成した中間発光色カット単位レンズ７３で構成される。
【００３５】
中間発光色カット単位レンズ７３は、透明樹脂層中に波長５９０ｎｍ付近のＲＧ中間色を吸収する色素を含有して構成される。透明樹脂は、光線透過率が８８％以上であれば任意の材質でよい。例えば、ポリカーボネート、アクリル、アクリル−スチレン共重合体、ポリスチレン、スチレン・ブタジエン・アクリロニトリル共重合体、非晶質ポリアリレート、ポリエーテルスルホン、嵩高環状オレフィンポリマー等である。
【００３６】
単位レンズの形状は、例えばプリズム形状や四角錐形状であるが、勿論、これに限定されるものではない。
光学シートＤ１の製造方法は、製造コストを考慮した場合、押出し方式で製造するのが好ましいが、単位レンズと基材層とが光透過性の材料であれば異なる材料からなってもよく、透明基材上に紫外線硬化樹脂にて単位レンズを付与してもよい。
【００３７】
（第五実施形態）
図５は、ディスプレイ装置の一例を示す概略構成図である。
ディスプレイ装置１は、バックライトユニット２と、画像表示素子又は液晶表示素子としての液晶パネル３と、を備えている。バックライトユニット２は、ランプハウス６と、光学シート群１２と、を備える。ランプハウス６は、例えばサイドに所定間隔で配列された複数の光源１７６と、この光源１７６と対面して配設され光源１７６からの光を垂直方向に出射する導光板１７９と、この導光板１７９の出射反対側に設けられたドット１８０と、を備える。光源１７６は、ＬＥＤである。
【００３８】
光学シート群１２は、導光板１７９の出射方向前方側に設けられ、中間発光色カット層７０を有する光学シートＡ１と、単位レンズ４３を有し光を正面に集光させるプリズムシート３３と、シリンドリカル形状の単位レンズ４３ａを有するマイクロレンズシート８１と、が順に配設されている。
【００３９】
液晶パネル３は、二枚の偏光板９によって液晶素子１０を挟持して構成される。
光学シートＢ1と液晶パネル３との間には、他の光学シートを配設してもよい。
【００４０】
図６は、ディスプレイ装置の他の一例を示す概略構成図である。
ここでは、図５のディスプレイ装置と比べて、光学シート群１２の構成のみが異なるので、同一部分の説明は省略する。光学シート群１２は、中間発光色カット層７２を有する光学シートＣ１と、シリンドリカル形状の単位レンズ４３ａを有するマイクロレンズシート８１と、が順に配設されている。
【００４１】
以下、本発明を実施例について具体的に説明する。しかし、本発明はこれらの実施例にのみ限定されるものではない。
【実施例１】
【００４２】
＜光学シートの作製＞
シアニン系色素（株式会社ADEKA製アデカアークルズＴＹ１６７）をアクリル樹脂に分散させたコーティング液を２５０μｍ厚みのポリエチレンテレフタレート（ＰＥＴ）フィルム基材上にコートすることにより、図1に示す光学シートＡ１を得た。
【実施例２】
【００４３】
光の出射面側に断面三角形状単位レンズ形状を有する２５０μｍ厚みのＰＣ製光学シートの光の入射面上にアデカアークルズＴＹ１６７をアクリル樹脂に分散させたコーティング液をコートすることにより、図２に示す光学シートＢ１を得た。
【実施例３】
【００４４】
光の出射面側に断面三角形状単位レンズ形状を有する２５０μｍ厚みのＰＣ製光学シートの単位レンズ面上にミストコーティングを用いてアデカアークルズＴＹ１６７をウレタンアクリレート系紫外線硬化樹脂に分散させたコーティング液を製膜し、紫外線を照射し硬化させることにより、図３に示す光学シートＣ１を得た。
【００４５】
（試験例１）
＜分光透過率評価＞
光学シートＡ１の分光透過率を分光光度計UV-2400PC(株式会社 島津製作所製)にて測定を実施した。結果を図７に示す。前記光学シートＡ１の分光透過率は波長５９０ｎｍで極小値となり、透過率が約２０％となった。
【００４６】
＜色評価＞
図５のディスプレイ装置１に対して、色彩輝度計BM-7(株式会社トプコン製)にて測定距離５０ｃｍ、測定角２°で測定を実施した。測定は、赤画面（Ｒ）、緑画面（Ｇ）、青画面（Ｂ）それぞれ表示時のＸＹＺ表色系色度図の色度（ｘＲ、ｙＲ）、（ｘＧ、ｙＧ）、（ｘＢ、ｙＢ）を測定した。ｘＲ、ｙＲはそれぞれ赤画面（Ｒ）時のｘｙ色度である。結果を図８の表に示す。図８における比較例にはディスプレイ装置１（評価用ＴＶ）に初めから搭載されていた導光板１７９、マイクロレンズシート８１、プリズムシート３３を用いた。
【００４７】
＜ＮＴＳＣ比評価＞
現行のＴＶは、ＮＴＳＣ（National Television System Committee）方式によるカラー表示が標準となっている。表示ディスプレイ側の色再現範囲がＮＴＳＣより狭い場合には、表示される画像は元の信号の色よりも狭い色域で表示されることになり、ダイナミックレンジが損なわれるため、画質の劣化につながってしまう。
【００４８】
この色再現範囲の指標として、所謂ＮＴＳＣ比がある。これは、ｘｙ色度図上に表示ディスプレイが再現できる色範囲の点を面積で表したときの、ＮＴＳＣの再現範囲の面積との比率で表現したものであり、次の（１）式で表される。
ＮＴＳＣ比（％）＝（表示ディスプレイの三角形の面積Ｓ１）
／（ＮＴＳＣの三角形の面積Ｓ０）    ……（１）
【００４９】
ここで、ＮＴＳＣ比の具体的計算方法を説明する。
色度図上の色再現範囲を示す三角形の面積Ｓは、次の（２）〜（６）式により求められる。
辺ＲＧ＝［（ｘＲ−ｘＧ）2＋（ｙＲ−ｙＧ）2］1/2            ……（２）
辺ＧＢ＝［（ｘＧ−ｘＢ）2＋（ｙＧ−ｙＢ）2］1/2            ……（３）
辺ＢＲ＝［（ｘＢ−ｘＲ）2＋（ｙＢ−ｙＲ）2］1/2            ……（４）
ｓ＝(辺ＲＧ＋辺ＧＢ＋辺ＢＲ）／２                          ……（５）
面積Ｓ＝［ｓ×(ｓ−辺ＲＧ)×(ｓ−辺ＧＢ)×(ｓ−辺ＢＲ)］1/2
……（６）
【００５０】
ここで、（ｘＲ，ｙＲ）、（ｘＧ，ｙＧ）、（ｘＢ，ｙＢ）は、色度図上の三角形における赤色（Ｒ），緑色（Ｇ），青色（Ｂ）の各頂点座標（Ｒ色度点，Ｇ色度点，Ｂ色度点）である。辺ＲＧ，ＧＢ，ＢＲは、それぞれＲ色度点とＧ色度点との距離、Ｇ色度点とＢ色度点との距離、Ｂ色度点とＲ色度点との距離である。ＮＴＳＣ方式の場合、各頂点座標は以下の通りであるから、面積Ｓ０≒０.１５８となる。
ｘＲ＝０.６７，ｙＲ＝０.３３
ｘＧ＝０.２１，ｙＧ＝０.７１
ｘＢ＝０.１４，ｙＢ＝０.０８
【００５１】
実施例1の赤画面（Ｒ）、緑画面（Ｇ）、青画面（Ｂ）それぞれ表示時のＸＹＺ表色系色度図の（ｘＲ、ｙＲ）、（ｘＧ、ｙＧ）、（ｘＢ、ｙＢ）から式（１）〜（６）を用いてＮＴＳＣ比（％）を算出した。結果を図８に示す。また、図９にＸＹＺ表色系色度図を示す。光学シートＡ１をプリズムの上に搭載することで、比較例と比べてＮＴＳＣ比が＋８％と向上していることが確認された。
【００５２】
（試験例２〜４）
次に、試験例１と同様にして、実施例２〜３の光学シートの評価を実施した。試験例1〜４の光学シートの組み合わせの評価を実施した。実施した試験例を図６に示し、色度評価の結果を図８〜図１１に示す。
【符号の説明】
【００５３】
１…ディスプレイ装置、２…バックライトユニット、３…液晶パネル、６…ランプハウス、９…偏光板、１０…液晶素子、１２…光学シート群、３３…プリズムシート、４２…単位レンズ、４３…単位レンズ、４３ａ…単位レンズ、６０…基材層、６１…基材層、６２…基材層、７０…中間発光色カット層、７１…中間発光色カット層、７２…中間発光色カット層、７３…中間発光色カット単位レンズ、８１…マイクロレンズシート、１７６…光源、１７９…導光板、１８０…ドット、Ａ１…光学シート、Ｂ1…光学シート、Ｂ１…光学シート、Ｃ１…光学シート、Ｄ１…光学シート
【図１】
2011221436.tif 000003
【図２】
2011221436.tif 000004
【図３】
2011221436.tif 000005
【図４】
2011221436.tif 000006
【図５】
2011221436.tif 000007
【図６】
2011221436.tif 000008
【図７】
2011221436.tif 000009
【図８】
2011221436.tif 000010
【図９】
2011221436.tif 000011
【図１０】
2011221436.tif 000012
【図１１】
2011221436.tif 000013
【図１２】
2011221436.tif 000014
【図１３】
2011221436.tif 000015
【図１４】
2011221436.tif 000016
【図１５】
2011221436.tif 000017
【図１６】
2011221436.tif 000018